Podtech/llm-jp-corpus-v4-ja_patent huggingface dataset:
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
バリアントＦｃ領域を含むタンパク質であって、前記バリアントＦｃ領域が、野生型の親Ｆｃ領域と比較して２１８位〜３２９位のいずれかに変異を含み、ここで番号付けは、ＥＵインデックスに従うものであり、
前記変異が、以下の：
（ａ）２３６位〜２３８位のうちの１つ以上での欠失；
（ｂ）２１９位〜２２５位のうちの１つ以上での変異；
（ｃ）２１８位と２１９位との間での、または２３６位での、挿入；
（ｄ）２３３位〜２３５位のうちの１つ以上でのアミノ酸残基置換；
（ｅ）２２０位〜２２３位のいずれかでの挿入；ならびに
（ｆ）２６７位、２７３位、３２８位、および３２９位のうちの１つ以上でのアミノ酸置換；
のうちの１つ以上を含む、
タンパク質。
【請求項２】
前記変異が、（ｉ）２３６位〜２３８位のうちの１つ以上での欠失と、（ｉｉ）２６７位、２７３位、３２８位、および３２９位のうちの１つ以上での変異と、を含む、請求項１に記載のタンパク質。
【請求項３】
（ｉｉ）が、アミノ酸残基置換Ｓ２６７Ｅ、Ｖ２７３Ｅ、Ｌ３２８Ｆ、Ｐ３２９Ｇ、またはそれらの組み合わせを含む、請求項２に記載のタンパク質。
【請求項４】
前記親Ｆｃ領域が、ＩｇＧ１分子のものである、請求項１〜３のいずれか１項に記載のタンパク質。
【請求項５】
前記変異が、以下の：
（ａ）２３６位〜２３８位のうちの１つ以上での欠失；
（ｂ）２２８位と２２９位との間での挿入；
（ｃ）２２０位〜２２５位のうちの１つ以上での変異；
（ｄ）２３４位および２３５位でのアミノ酸置換；ならびに
（ｅ）２６７位、２７３位、３２８位、および３２９位のうちの１つ以上でのアミノ酸置換；
のうちの１つ以上を含む、請求項４に記載のタンパク質。
【請求項６】
前記バリアントＦｃ領域が、Ｇ１ｍ１、Ｇ１ｍ２、Ｇ１ｍ−２、Ｇ１ｍ−４、Ｇ１ｍ５、Ｇ１ｍ７、Ｇ１ｍ８、Ｇ１ｍ９、Ｇ１ｍ１５、Ｇ１ｍ１７、Ｇ１ｍ１８、Ｇ１ｍ１９、Ｇ１ｍ２５、Ｇ１ｍ２７、Ｇ１ｍ２８、Ｇ１ｍ２９、Ｇ１ｍＡＡ、およびＧ１ｍＡＧからなる群から選択される、請求項５に記載のタンパク質。
【請求項７】
前記親Ｆｃ領域が、ＩｇＧ２分子のものである、請求項１〜３のいずれか１項に記載のタンパク質。
【請求項８】
前記変異が、以下の：
（ａ）２３７位および２３８位のうちの１つ以上での欠失；
（ｂ）２１９位〜２２５位のうちの１つ以上での変異；
（ｃ）２３３位〜２３５位のうちの１つ以上でのアミノ酸置換；
（ｄ）２１８位と２１９位との間での、または２３６位での、挿入；ならびに
（ｅ）２６７位、２７３位、および３２８位のうちの１つ以上でのアミノ酸残基置換；
のうちの１つを含む、請求項７に記載のタンパク質。
【請求項９】
前記バリアントＦｃ領域が、Ｇ２ｍ１、Ｇ２ｍ−１、Ｇ２ｍ２、Ｇ２ｍ−４、Ｇ２ｍ５、Ｇ２ｍ７、Ｇ２ｍ８、Ｇ２ｍ９、Ｇ２ｍ１０、Ｇ２ｍ１５、Ｇ２ｍ１７、Ｇ２ｍ１８、Ｇ２ｍ１９、Ｇ２ｍ２０、Ｇ２ｍ２７、Ｇ２ｍ２７、およびＧ２ｍ２８からなる群から選択される、請求項８に記載のタンパク質。
【請求項１０】
前記親Ｆｃが、ＩｇＧ４分子のものである、請求項１〜３のいずれか１項に記載のタンパク質。
【請求項１１】
前記変異が、Ｓ２２８Ｐのアミノ酸残基置換と、以下の：
（ａ）２３６位〜２３８位のうちの１つ以上での欠失；
（ｂ）２１９位〜２２５位のうちの１つ以上での変異；
（ｃ）２３４位および２３５位のうちの１つ以上でのアミノ酸残基置換；ならびに
（ｄ）２６７位、２７３位、および３２８位のうちの１つ以上でのアミノ酸残基置換；
のうちの１つ以上と、を含む、請求項１０に記載のタンパク質。
【請求項１２】
前記バリアントＦｃ領域が、Ｇ４ｍ１、Ｇ４ｍ−１、Ｇ４ｍ２、Ｇ４ｍ−２、Ｇ４ｍ３、Ｇ４ｍ４、Ｇ４ｍ５、Ｇ４ｍ７、Ｇ４ｍ８、Ｇ４ｍ９、Ｇ４ｍ１０、Ｇ４ｍ１７、Ｇ４ｍ１８、Ｇ４ｍ１９、Ｇ４ｍ２０、Ｇ４ｍ２５、Ｇ４ｍ２７、Ｇ４ｍ２８、Ｇ４ｍ２９、Ｇ４ｍ３０、およびＧ４ｍＰＥからなる群から選択される、請求項１１に記載のタンパク質。
【請求項１３】
前記バリアントＦｃ領域が、前記親Ｆｃ領域と比較して、ＦｃγＲＩＩＢに対する増強した結合親和性を呈する；
前記バリアントＦｃ領域が、前記親Ｆｃ領域と比較して、ＦｃγＲＩＩＢに対する増強した選択性を呈する；
前記バリアントＦｃ領域が、任意のＦｃγＲに対する低い結合活性を呈するか、またはいかなるＦｃγＲに対しても結合活性を呈さない；または
前記バリアントＦｃ領域が、ＦｃＲｎに結合する；
請求項１〜１２のいずれか１項に記載のタンパク質。
【請求項１４】
前記タンパク質が、抗体である、請求項１〜１３のいずれか１項に記載のタンパク質。
【請求項１５】
ＩｇＧ２またはＩｇＧ４分子のバリアントＦｃ領域を含むタンパク質であって、前記バリアントＦｃ領域が、野生型の親ＩｇＧ２またはＩｇＧ４  Ｆｃ領域と比較して２６７位、２７３位、３２８位、またはそれらの組み合わせに変異を含み、前記番号付けが、ＥＵインデックスに従うものである、タンパク質。
【請求項１６】
前記ＩｇＧ２またはＩｇＧ４分子が、ヒトＩｇＧ２またはヒトＩｇＧ４分子である、請求項１５に記載のタンパク質。
【請求項１７】
請求項１〜１６のいずれか１項に記載のタンパク質と、薬学的に許容される担体と、を含む、対象における免疫応答を選択的に活性化する薬学的組成物。
【請求項１８】
癌を有するか癌を有することが疑われるヒト患者において癌を治療するのに使用するための、請求項１７に記載の薬学的組成物。
【請求項１９】
前記癌が、肺癌、胃癌、肝臓癌、乳癌、皮膚癌、膵臓癌、脳癌、前立腺癌、膀胱癌、結腸直腸癌、肉腫、骨癌、リンパ腫、および血液癌からなる群から選択される、請求項１８に記載の薬学的組成物。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
抗原結合ドメインを有する細胞透過性抗ＤＮＡ結合タンパク質であって、前記抗原結合ドメインがＤＮＡに結合し、かつ
−  配列番号１に示されているとおりの相補性決定領域（ＣＤＲ）１、配列番号３に示されているとおりのＣＤＲ２及び配列番号４に示されているとおりのＣＤＲ３を有する重鎖可変領域（ＶＨ）、ならびに配列番号６に示されているとおりのＣＤＲ１、配列番号７に示されているとおりのＣＤＲ２及び配列番号８に示されているとおりのＣＤＲ３を有する軽鎖可変領域（ＶＬ）、
−  配列番号１に示されているとおりの相補性決定領域（ＣＤＲ）１、配列番号２に示されているとおりのＣＤＲ２及び配列番号４に示されているとおりのＣＤＲ３を有する重鎖可変領域（ＶＨ）、ならびに配列番号５に示されているとおりのＣＤＲ１、配列番号７に示されているとおりのＣＤＲ２及び配列番号８に示されているとおりのＣＤＲ３を有する軽鎖可変領域（ＶＬ）、
−  配列番号９に示されているとおりのＣＤＲ１、配列番号１１に示されているとおりのＣＤＲ２及び配列番号１２に示されているとおりのＣＤＲ３を有するＶＨ、ならびに配列番号１５に示されているとおりのＣＤＲ１、配列番号１５に示されているとおりのＣＤＲ２及び配列番号１６に示されているとおりのＣＤＲ３を有する軽鎖可変領域（ＶＬ）、あるいは
−  配列番号９に示されているとおりのＣＤＲ１、配列番号１０に示されているとおりのＣＤＲ２及び配列番号１２に示されているとおりのＣＤＲ３を有するＶＨ、ならびに配列番号１３に示されているとおりのＣＤＲ１、配列番号１５に示されているとおりのＣＤＲ２及び配列番号１６に示されているとおりのＣＤＲ３を有する軽鎖可変領域（ＶＬ）、
を含む、前記細胞透過性抗ＤＮＡ結合タンパク質。
【請求項２】
配列番号１７〜２３のいずれか１つに示されているとおりの配列と少なくとも９５％同一な配列を含むＶＨ及び配列番号２４〜２９のいずれか１つに示されているとおりの配列と少なくとも９５％同一な配列を含むＶＬ
を含む、請求項１に記載の結合タンパク質。
【請求項３】
前記ＶＨ及びＶＬが、配列番号３０に示されている配列を含むリンカーによって分離されている、請求項１または２に記載の結合タンパク質。
【請求項４】
前記ＶＨ及びＶＬが単一のポリペプチド鎖中にある、請求項１〜３のいずれか１項に記載の結合タンパク質。
【請求項５】
（ｉ）一本鎖Ｆｖ断片（ｓｃＦｖ）、
（ｉｉ）二量体ｓｃＦｖ（ジ−ｓｃＦｖ）、
（ｉｉｉ）三量体ｓｃＦｖ（トリ−ｓｃＦｖ）、
（ｉｖ）抗体の定常領域、Ｆｃまたは重鎖定常ドメインＣＨ２及び／またはＣＨ３に連結している（ｉ）、（ｉｉ）または（ｉｉｉ）のいずれか１つ
である、請求項４に記載の結合タンパク質。
【請求項６】
ｓｃＦｖである、請求項５に記載の結合タンパク質。
【請求項７】
ジ−ｓｃＦｖである、請求項５に記載の結合タンパク質。
【請求項８】
前記ｓｃＦｖが、配列番号３１に示されている配列を含むリンカーによって分離されている、請求項７に記載の結合タンパク質。
【請求項９】
前記ＶＨ及びＶＬが別々のポリペプチド鎖中にある、請求項１または２に記載の結合タンパク質。
【請求項１０】
インタクトな抗体である、請求項９に記載の結合タンパク質。
【請求項１１】
請求項１または２に記載の結合タンパク質であって、前記結合タンパク質が、抗原結合ドメインを有する細胞透過性抗ＤＮＡ  Ｆｖ断片であり、前記抗原結合ドメインがＤＮＡに結合し、かつ
−  配列番号１に示されているとおりのＣＤＲ１、配列番号３に示されているとおりのＣＤＲ２、配列番号４に示されているとおりのＣＤＲ３を有するＶＨ、ならびに配列番号６に示されているとおりのＣＤＲ１、配列番号７に示されているとおりのＣＤＲ２及び配列番号８に示されているとおりのＣＤＲ３を有するＶＬ、
−  配列番号１に示されているとおりのＣＤＲ１、配列番号２に示されているとおりのＣＤＲ２、配列番号４に示されているとおりのＣＤＲ３を有するＶＨ、ならびに配列番号５に示されているとおりのＣＤＲ１、配列番号７に示されているとおりのＣＤＲ２及び配列番号８に示されているとおりのＣＤＲ３を有するＶＬ、
−  配列番号９に示されているとおりのＣＤＲ１、配列番号１１に示されているとおりのＣＤＲ２、配列番号１２に示されているとおりのＣＤＲ３を有するＶＨ、ならびに配列番号１５に示されているとおりのＣＤＲ１、配列番号１５に示されているとおりのＣＤＲ２及び配列番号１６に示されているとおりのＣＤＲ３を有するＶＬ、あるいは
−  配列番号９に示されているとおりのＣＤＲ１、配列番号１０に示されているとおりのＣＤＲ２、配列番号１２に示されているとおりのＣＤＲ３を有するＶＨ、ならびに配列番号１３に示されているとおりのＣＤＲ１、配列番号１５に示されているとおりのＣＤＲ２及び配列番号１６に示されているとおりのＣＤＲ３を有するＶＬ、
−  配列番号１７〜２３のいずれか１つに示されているとおりの配列と少なくとも９５％同一な配列を含むＶＨ、及び配列番号２４〜２９のいずれか１つに示されているとおりの配列と少なくとも９５％同一な配列を含むＶＬ
のうちの少なくとも１つを含む、前記結合タンパク質。
【請求項１２】
ジ−ｓｃＦｖである、請求項１１に記載の細胞透過性抗ＤＮＡ  Ｆｖ断片。
【請求項１３】
配列番号３２〜４７のいずれか１つに示されているとおりのアミノ酸配列を含む、請求項１２に記載の細胞透過性抗ＤＮＡ  Ｆｖ断片。
【請求項１４】
別の化合物にコンジュゲートされている、請求項１〜１０のいずれか１項に記載の結合タンパク質または請求項１１〜１３のいずれか１項に記載のＦｖ断片。
【請求項１５】
請求項１〜１４のいずれか１項に定義される結合タンパク質またはＦｖ断片をコードする核酸。
【請求項１６】
請求項１〜１４のいずれか１項に定義される結合タンパク質またはＦｖ断片と、薬学的に許容される担体とを含む組成物。
【請求項１７】
がんを処置するための医薬品の製造における、請求項１〜１４のいずれか１項に定義される結合タンパク質もしくはＦｖ断片または請求項１６に記載の組成物の使用。
【請求項１８】
がんの処置において使用するための、請求項１〜１４のいずれか１項に定義される結合タンパク質もしくはＦｖ断片または請求項１６に記載の組成物。
【請求項１９】
前記がんが、以下のうち１つ以上である：
−実質的にＨＤＲ欠損している、
−ＰＡＲＰ阻害に対して抵抗性を有する、
−実質的にＢＲＣＡ２欠損している、
−実質的にＰＴＥＮ欠損している、
請求項１７に記載の使用または請求項１８に記載の結合タンパク質。
【請求項２０】
前記がんが、結腸癌、脳癌、前立腺、卵巣、乳房、子宮内膜、黒色腫、または膵臓の癌である、請求項１７に記載の使用または請求項１８に記載の結合タンパク質。
【請求項２１】
前記がんが神経膠芽細胞腫または三重陰性乳癌である、請求項１７に記載の使用または請求項１８に記載の結合タンパク質。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
粉末システムを含む吸入器で使用するための容器であって、
粒子サイズが１０マイクロメートル以下の第一の複数の粒子と、
粒子サイズが２０マイクロメートル以上の第二の複数の粒子と、を含み、
前記粉末システムが、１：１〜１０：１、または２：１〜６：１、または３：１〜５：１、好ましくは４：１の前記第一の複数の粒子対前記第二の複数の粒子の重量比を含み、
前記容器を貫通する単一の開口部であって、前記単一の開口部が、０．５ｍｍ〜１．５ｍｍの直径を有し、または、前記単一の開口部の開放表面積が、前記容器の総表面積の０．１％〜０．５％、または０．２％〜０．５％、または０．３％〜０．４％である、単一の開口部、を含む、容器。
【請求項２】
前記容器がカプセルである、請求項１に記載の容器。
【請求項３】
前記第一の複数の粒子がニコチンまたはニコチン塩を含む、請求項１または請求項２のいずれか一項に記載の容器。
【請求項４】
前記第一の複数の粒子が、ロイシンなどのアミノ酸を含む、請求項１〜３のいずれか一項に記載の容器。
【請求項５】
前記第一の複数の粒子の少なくとも５０％、または少なくとも７５％、または少なくとも９０％が、５マイクロメートル以下、または３マイクロメートル以下の粒子サイズを有する、請求項１〜４のいずれか一項に記載の容器。
【請求項６】
前記第二の複数の粒子の少なくとも５０％、または少なくとも７５％、または少なくとも９０％が、５０マイクロメートル以上、または７５〜２００マイクロメートルの粒子サイズを有する、請求項１〜５のいずれか一項に記載の容器。
【請求項７】
前記単一の開口部が０．５ｍｍ2〜１ｍｍ2の開放表面積を有し、前記容器が０．２ｍＬ〜０．５ｍＬ、または０．３ｍＬの体積を有するカプセルである、請求項１〜６のいずれか一項に記載の容器。
【請求項８】
前記第一の複数の粒子が、乳酸ニコチン、ロイシン、およびトレハロースなどの糖を含み、１重量％〜１０重量％、または３重量％〜７重量％、または５重量％のニコチン含有量を有する、請求項１〜７のいずれか一項に記載の容器。
【請求項９】
前記容器が、サイズ２〜サイズ４、またはサイズ３のカプセルであり、２０ｍｇ〜８０ｍｇの粉末システム、または４０ｍｇ〜６０ｍｇの粉末システム、または５０ｍｇの粉末システムを含有する、請求項１〜８のいずれか一項に記載の容器。
【請求項１０】
前記第二の複数の粒子が風味を含み、前記風味がメントールを含みうる、請求項１〜９のいずれか一項に記載の容器。
【請求項１１】
吸入器物品であって、
容器を受けるための空洞、および、
前記容器の単一の側または端に開口部を形成するための貫通要素を含む、吸入器物品を備え、
前記容器が粉末システムを含み、前記粉末システムは、
粒子サイズが１０マイクロメートル以下の第一の複数の粒子と、
粒子サイズが２０マイクロメートル以上の第二の複数の粒子と、を含み、
前記粉末システムが、１：１〜１０：１、または２：１〜６：１、または３：１〜５：１、好ましくは４：１の前記第一の複数の粒子対前記第二の複数の粒子の重量比を含み、
前記容器を貫通する単一の開口部であって、前記単一の開口部が、０．５ｍｍ〜１．５ｍｍの直径を有し、または、前記単一の開口部の開放表面積が、前記容器の総表面積の０．１％〜０．５％、または０．２％〜０．５％、または０．３％〜０．４％である、単一の開口部、を含む、システム。
【請求項１２】
前記空洞が、前記容器を前記空洞内で回転させる吸入気流を提供する端キャップによって上流端上で区切られ、前記空洞が、前記容器を含み、前記吸入空気内の混入粒子を前記吸入器のマウスピースに移送する多孔性要素によって下流端上で区切られる、請求項１１に記載のシステム。
【請求項１３】
前記貫通要素が前記端キャップおよび前記容器の一つの壁のみを貫通して前記開口部を形成する、請求項１２に記載のシステム。
【請求項１４】
前記容器がカプセルである、請求項１１〜１３のいずれか一項に記載のシステム。
【請求項１５】
前記吸入器が、少なくとも２０回の吸入吸煙、または少なくとも３０回の吸入吸煙、または少なくとも４０回の吸入吸煙それぞれにわたり、実質的に均一な前記粉末システム用量を送達する、請求項１１〜１４のいずれか一項に記載のシステム。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
配列番号４５を含む環状ヌクレオチド感受性チャンネルベータ３（ＣＮＧＢ３）をコードするｃＤＮＡ配列。
【請求項２】
請求項１に記載のｃＤＮＡ配列を含む発現カセット。
【請求項３】
ＡＡＶキャプシドと、ＡＡＶ逆位末端反復（ＩＴＲ）配列を含む核酸配列と、ヒト環状ヌクレオチド感受性チャンネルベータ３（ＣＮＧＢ３）をコードする配列番号４５の核酸配列と、宿主細胞における前記ＣＮＧＢ３の発現を方向付ける発現調節配列とを含む、アデノ関連ウイルス（ＡＡＶ）ベクター。
【請求項４】
前記発現調節配列がＣＭＶ／ＣＢＡプロモーター、ＲＫ１プロモーター又はｈＣＡＲプロモーターを含むことを特徴とする請求項３に記載のＡＡＶベクター。
【請求項５】
前記発現調節配列が眼細胞特異的プロモーターを含み、任意に、前記プロモーターはヒトＥＦ１αプロモーター、代謝型グルタミン酸受容体６（ｍＧｌｕＲ６）プロモーター、ロドプシンプロモーター、錐体オプシンプロモーター、及び転写因子プロモーター（神経網膜ロイシンジッパー（Ｎｒｌ）及び光受容体特異的核受容体Ｎｒ２ｅ３、ｂＺＩＰ）から選ばれる、請求項３に記載のＡＡＶベクター。
【請求項６】
前記発現調節配列は、誘導可能なプロモーター、構成的プロモーター及び組織特異的プロモーターから選ばれる１のプロモーターを含み、任意に、前記プロモーターは、ラパマイシン／ラパログ（ｒａｐａｌｏｇ）プロモーター、エクジソンプロモーター、エストロゲン−反応性プロモーター、テトラサイクリン−反応性プロモーター、及びヘテロダイマーリプレッサースイッチから選ばれる誘導可能なプロモーターである、請求項３に記載のＡＡＶベクター。
【請求項７】
前記ＡＡＶキャプシドはＡＡＶ２、ＡＡＶ５、ＡＡＶ８、ＡＡＶ９、ＡＡＶ８ｂｐ、ＡＡＶ７ｍ８及びそれらの変異体から選ばれる請求項３から６のいずれか１項に記載のＡＡＶベクター。
【請求項８】
薬学的に許容され得る担体と請求項３から７のいずれか１項に記載のＡＡＶベクターの少なくとも１を含む薬学的組成物。
【請求項９】
ＡＡＶベクターを作製するためのプラスミドであって、該プラスミドは配列番号４４あるいはそれと少なくとも８０％の同一性を共有する配列を含むプラスミド。
【請求項１０】
請求項９のプラスミドを保有するパッケージング細胞を、感染性ＡＡＶエンベロープ又はキャプシド中への遺伝子発現カセットウイルスゲノムのパッケージングを可能とするのに十分なウイルス配列の存在下で培養することを含む、組換えＡＡＶ（ｒＡＡＶ）ウイルスの作製方法。
【請求項１１】
配列番号４２のヌクレオチド１−３９３０または配列番号４４のヌクレオチド１―４７０４を含むベクターゲノムを含む、ウイルスベクター。
【請求項１２】
請求項２から７のいずれか１項に記載のＡＡＶベクターを含む、色覚異常の治療方法における使用のための組成物。
【請求項１３】
請求項２から７のいずれか１項に記載のＡＡＶベクターを含む、コロイデレミアの治療方法における使用のための組成物。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
ヒール部を有する履物製品のミッドソールを製造する方法であって、
前記製品のアッパーとアウトソールとの間の固定位置に矯正器具を保持することと、
前記矯正器具を囲む前記アッパー及び前記アウトソールの間の空間に流れ込む材料を注入することと、
ミッドソール部材を形成するように前記材料を硬化させることと、を備え、
前記矯正器具は前記製品の前記ヒール部内に後足部を有し、前記後足部はヒールカップを含み、前記矯正器具は、前記後足部から前方に延びかつ湾曲を有する前部を有し、
前記ヒールカップは上カップ表面を含み、前記ヒールカップの前記上カップ表面は、低点と、前記低点から上方に延びる周壁と、を有し、前記周壁は、後壁、前壁及び１以上の内壁または外壁を含み、前記１以上の内壁または外壁は、前記後壁から前記前壁まで延びる、  
方法。
【請求項２】
前記矯正器具は前記矯正器具内に空洞を有し、
前記空洞は、前記矯正器具を前記材料が流れて通過することを可能にする、請求項１に記載の方法。
【請求項３】
前記固定位置に前記矯正器具を保持することは、前記アッパーの底部から延びる支持構造体によって、または前記アウトソールの上面から延びる支持構造体によって、所定の位置に前記矯正器具を保持することを備える、請求項１に記載の方法。
【請求項４】
前記矯正器具の下方の所定の位置に、剛性支持部材を保持することをさらに備える、請求項１に記載の方法。
【請求項５】
前記矯正器具が、長手方向における剛性およびねじれ方向における剛性を提供するように成形される、請求項１に記載の方法。
【請求項６】
前記製品の横断面に沿って様々な厚さを形成するように、材料反応速度を調整することをさらに備える請求項１に記載の方法。
【請求項７】
前記矯正器具が、長手方向における剛性およびねじれ方向における剛性を提供するように成形される、請求項１に記載の方法。
【請求項８】
前記製品の前記アッパーと前記アウトソールとの間の前記固定位置に前記矯正器具を保持することは、前記矯正器具を囲む任意の材料の注入前に、前記製品の前記アッパーと前記アウトソールとの間の前記固定位置に前記矯正器具を保持することを含む、請求項１に記載の方法。
【請求項９】
ヒール部を有する履物製品のミッドソールを製造する方法であって、
矯正器具を上面と下面との間の固定位置に保持することと、
前記矯正器具を囲む前記上面及び前記下面の間の空間に流れ込む材料を注入することと、
ミッドソール部材を形成するように前記材料を硬化させることと、を備え、
前記矯正器具は前記製品の前記ヒール部内に後足部を有し、前記後足部はヒールカップを含み、前記矯正器具は、前記後足部から前方に延びかつ湾曲を有する前部を有し、
前記ヒールカップは上カップ表面を含み、前記ヒールカップの前記上カップ表面は、低点と、前記低点から上方に延びる周壁と、を有し、前記周壁は、後壁、前壁及び１以上の内壁または外壁を含み、前記１以上の内壁または外壁は、前記後壁から前記前壁まで延びる、
方法。
【請求項１０】
前記矯正器具は前記矯正器具内に空洞を有し、
前記空洞は、前記矯正器具を前記材料が通過することを可能にする、請求項９に記載の方法。
【請求項１１】
前記固定位置に前記矯正器具を保持することは、前記下面の頂部から延びる支持構造体によって、または前記上面の底部から延びる支持構造体によって、所定の位置に前記矯正器具を保持することを備える、請求項９に記載の方法。
【請求項１２】
前記矯正器具および前記ミッドソール部材の厚さが、前記製品の横断面に沿って変化する、請求項９に記載の方法。
【請求項１３】
前記矯正器具の下方の所定の位置に、剛性支持部材を保持することをさらに備える、請求項９に記載の方法。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
哺乳動物細胞の混合集団からＳＤＣ２＋間質幹細胞の集団を単離する方法であって、前記方法は、
（ａ）哺乳動物細胞の混合集団をＣＤ３９結合剤に接触させる工程；
（ｂ）ＣＤ３９結合剤に結合した細胞を単離する工程；
及び（ｃ）単離した細胞中のＳＤＣ２＋細胞存在量を測定する工程であって、それによりＳＤＣ２＋間質幹細胞の集団を単離する、工程を含む、方法。
【請求項２】
ＳＤＣ２＋間質幹細胞の集団は、ヒト、マウス、ラット、およびウマの細胞からなるリストから選択される細胞を含む、請求項１に記載の方法。
【請求項３】
哺乳動物細胞の混合集団は、骨髄、脂肪組織、骨格筋、子宮内膜、胎座、臍帯、ホウォートンゼリー、および多能性細胞に由来する細胞の少なくとも１つから選択されたソースから得られる、請求項１または２に記載の方法。
【請求項４】
ＣＤ３９結合剤は抗体を含む、請求項１−３のいずれか１つに記載の方法。
【請求項５】
ＳＤＣ２＋間質幹細胞の集団の少なくとも２０％は、ＳＤＣ２＋である、請求項１−４のいずれか１つに記載の方法。
【請求項６】
ＳＤＣ２＋間質幹細胞の集団の少なくとも４０％は、ＳＤＣ２＋である、請求項１−５のいずれか１つに記載の方法。
【請求項７】
ＳＤＣ２＋間質幹細胞の集団の少なくとも７０％は、ＳＤＣ２＋である、請求項１−６のいずれか１つに記載の方法。
【請求項８】
単離細胞を培養する工程を含む、請求項１−７のいずれか１つに記載の方法。
【請求項９】
ＳＤＣ２＋間質幹細胞の集団の少なくとも９０％は、ＣＤ４５−である、請求項１−８のいずれか１つに記載の方法。
【請求項１０】
哺乳動物の炎症反応を調節する際に使用するためのＳＤＣ２＋細胞を含む組成物であって、
ＳＤＣ２＋細胞は、ＣＤ３９発現に基づいて細胞の混合集団から単離される、組成物。
【請求項１１】
ＳＤＣ２＋細胞は、ＣＤ３９結合剤に結合した細胞を採取することによって単離される、請求項１０に記載の組成物。
【請求項１２】
ＳＤＣ２＋細胞は、ＣＤ３９結合剤に結合した細胞を培養することによって単離される、請求項１０に記載の組成物。
【請求項１３】
ＳＤＣ２＋細胞を含む組成物は、注入のために製剤化される、請求項１０−１２のいずれか１つに記載の組成物。
【請求項１４】
ＳＤＣ２＋細胞を含む組成物は局所的投与のために製剤化される、請求項１０−１２のいずれか１つに記載の組成物。
【請求項１５】
ＣＤ３９結合剤は抗体を含む、請求項１０−１４のいずれか１つに記載の組成物。
【請求項１６】
ＳＤＣ２＋細胞の少なくとも２０％は、ＳＤＣ２＋である、請求項１０−１５のいずれか１つに記載の組成物。
【請求項１７】
ＳＤＣ２＋細胞の少なくとも４０％は、ＳＤＣ２＋である、請求項１０−１６のいずれか１つに記載の組成物。
【請求項１８】
ＳＤＣ２＋細胞の少なくとも７０％は、ＳＤＣ２＋である、請求項１０−１７のいずれか１つに記載の組成物。
【請求項１９】
前記組成物は、少なくとも１０∧３  ＳＤＣ２＋細胞を含む、請求項１０−１８のいずれか１つに記載の組成物。
【請求項２０】
炎症反応は、１型糖尿病、２型糖尿病、敗血症、クローン病、炎症性腸症候群、関節リウマチ、移植片対宿主病、多発性硬化症、ＡＬＳ、皮膚創傷、骨折、脳震盪創傷、熱傷、アテローム動脈硬化症、腎症、心筋症、神経障害、腎障害、腎不全、糖尿病潰瘍、下腿潰瘍、ＡＲＤＳ、敗血症、炎症性肝疾患、心筋炎、心筋梗塞後症候群、心膜切開後症候群、亜急性細菌性心内膜炎、抗糸球体基底膜腎炎、間質性膀胱炎、ループス腎炎、自己免疫性肝炎、原発性胆汁性肝硬変、原発性硬化性胆管炎、抗シンテターゼ症候群、喘息、慢性閉塞性肺疾患、嚢胞性線維症、無気肺、気管支炎、肺気腫、肺炎、肺水腫、円形脱毛症、自己免疫血管浮腫、自己免疫プロゲステロン皮膚炎、自己免疫蕁麻疹、水疱性類天疱瘡、瘢痕性類天疱瘡、疱疹状皮膚炎、円板状紅斑性狼瘡、後天性表皮水疱症、結節性紅斑、懐胎性類天疱瘡、化膿性汗腺炎、扁平苔癬、硬化性苔癬、線形ＩｇＡ疾患、斑状強皮症、尋常性天疱瘡、急性痘瘡状苔癬状ひこう疹、ムッハ・ハーベルマン病、乾癬、全身性強皮症、白斑、アジソン病、自己免疫多内分泌腺性症候群、２型自己免疫多内分泌腺性症候群、３型自己免疫多内分泌腺性症候群、自己免疫性膵炎、自己免疫性甲状腺炎、Ｏｒｄ甲状腺炎、グレーブス病、生殖器障害、自己免疫性卵巣炎、子宮内膜症、自己免疫性精巣炎、シェーグレン症候群、自己免疫腸疾患、セリアック病、顕微鏡的大腸炎、潰瘍性大腸炎、抗リン脂質抗体症候群、再生不良性貧血、自己免疫溶血性貧血、自己免疫リンパ増殖性症候群、自己免疫性好中球減少症、自己免疫性血小板減少性紫斑病、寒冷凝集素症、必須混合型クリオグロブリン血症、エバンス症候群、ＩｇＧ４関連の全身性疾患、発作性夜間色素尿症、悪性貧血、赤芽球ろう、血小板減少症、有痛脂肪症、成人発症スチル病、強直性脊椎炎、クレスト症候群、薬剤誘発性ループス、腱靭帯付着部炎関連の関節炎、好酸球性筋膜炎、フェルティ症候群、若年性関節炎、ライム病（慢性）、混合結合組織病、回帰性リウマチ、パリー・ロンベルグ症候群、パーソナージュ・ターナー症候群、乾癬性関節炎、反応性関節炎、再発性多発性軟骨炎、後腹膜線維症、リウマチ熱、関節リウマチ、サルコイドーシス、シュニッツラー症候群、全身性エリテマトーデス、未分化結合組織疾患、悪液質、サルコペニア、皮膚筋炎、線維筋痛症、封入体筋炎、筋炎、重症筋無力症、神経性筋緊張病、腫瘍随伴性小脳変性症、多発性筋炎、急性散在性脳脊髄膜炎、急性運動軸索神経障害、抗−Ｎ−メチル−Ｄ−アスパラギン酸塩受容体脳炎、バロー同心円性硬化症、ビッカースタッフ脳炎、慢性炎症性脱髄性多発ニューロパチー、ギラン・バレー症候群、橋本脳障害、特発性炎症性脱髄症、ランバート・イートン筋無力症候群、多発性硬化症、連鎖球菌に関連付けられる小児自己免疫神経精神障害、進行性炎症性神経障害、むずむず脚症候群、スティッフパーソン症候群、シデナム舞踏病、筋萎縮性側索硬化症、パーキンソン病、アルツハイマー病、横断脊髄炎、自己免疫網膜症、自己免疫ブドウ膜炎、コーガン症候群、グレーブス眼症、中間部ブドウ膜炎、木質性結膜炎、モーレン潰瘍、視神経脊髄炎、眼球クローヌス・ミオクローヌス症候群、視神経炎、強膜炎、スザック症候群、交感性眼炎、トローザ・ハント症候群、自己免疫内耳疾患、メニエール病、抗好中球細胞質抗体関連の脈管炎、ベーチェット病、チャーグ・ストラウス症候群、巨細胞性動脈炎、ヘノッホ・シェーンライン紫斑病、川崎病、白血球破砕性血管炎、ループス血管炎、リウマチ性血管炎、顕微鏡的多発血管炎、結節性多発性動脈炎、リウマチ性多発筋痛、蕁麻疹様血管炎、及び血管炎のうち少なくとも１つを含む、請求項１０−１９のいずれか１つに記載の組成物。
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
加入者ベースのセッションタイムアウト情報を動的にプロビジョニングするための方法であって、
ユーザ機器デバイスによって要求されるセッションに対応するセッション情報パラメータを含む要求メッセージをパケットデータネットワークゲートウェイ（ＰＧＷ）から受信するステップと、
前記セッション情報パラメータのうちの１つ以上を備える入力に基づいて絶対タイムアウト期間値およびアイドルタイムアウト期間値を決定するステップと、
前記決定された絶対タイムアウト期間値および前記決定されたアイドルタイムアウト期間値を含む応答メッセージを生成するステップと、
前記生成された応答メッセージを前記ＰＧＷに送信するステップとを備え、前記ＰＧＷは、前記絶対タイムアウト期間値および前記アイドルタイムアウト期間値を、前記ユーザ機器デバイスによって要求される前記セッションに適用するように構成される、方法。
【請求項２】
前記ＰＧＷが、少なくとも前記絶対タイムアウト期間値および前記アイドルタイムアウト期間値を含む作成セッション応答メッセージを生成するステップを備える、請求項１に記載の方法。
【請求項３】
前記ＰＧＷが、前記絶対タイムアウト期間値および前記アイドルタイムアウト期間値を含む前記作成セッション応答メッセージを前記ユーザ機器デバイスに送信するステップを備える、請求項２に記載の方法。
【請求項４】
前記ユーザ機器デバイスは、前記絶対タイムアウト期間値および前記アイドルタイムアウト期間値を利用して、前記セッションについてアップリンクデータを送信するためのデータレートを確立する、請求項３に記載の方法。
【請求項５】
前記セッション情報パラメータは、輻輳表示パラメータ、ユーザ位置情報パラメータ、時刻パラメータまたはアクセスポイントネーム（ＡＰＮ）パラメータのうちの少なくとも１つを含む、請求項１〜４のいずれか１項に記載の方法。
【請求項６】
前記絶対タイムアウト期間値および前記アイドルタイムアウト期間値を決定するステップは、前記セッション情報パラメータのうちの１つ以上を、データベーステーブルに格納された絶対タイムアウト期間値およびアイドルタイムアウト期間値にマッピングされる１つ以上の閾値に一致させるステップを含む、請求項１〜５のいずれか１項に記載の方法。
【請求項７】
前記ユーザ機器デバイスは、無線モバイルデバイス、モノのインターネット（ＩｏＴ）デバイスまたはマシンツーマシン（Ｍ２Ｍ）デバイスを含む、請求項１〜６のいずれか１項に記載の方法。
【請求項８】
加入者ベースのセッションタイムアウト情報を動的にプロビジョニングするためのシステムであって、
少なくとも１つのプロセッサと、メモリと、前記メモリに格納されたタイムアウト期間値決定（ＴＰＶＤ）エンジンとを備えるポリシーおよび課金ルール機能（ＰＣＲＦ）ノードを備え、前記ＰＣＲＦノードは、前記ＰＣＲＦの前記少なくとも１つのプロセッサによって実行されると、ユーザ機器デバイスによって要求されるセッションに対応するセッション情報パラメータを含む要求メッセージを受信し、前記セッション情報パラメータのうちの１つ以上を備える入力に基づいて絶対タイムアウト期間値およびアイドルタイムアウト期間値を決定し、前記決定された絶対タイムアウト期間値および前記決定されたアイドルタイムアウト期間値を含む応答メッセージを生成するように構成され、前記システムはさらに、
少なくとも１つのプロセッサと、メモリと、前記メモリに格納されたタイムアウトパラメータマネージャとを備えるパケットデータネットワークゲートウェイ（ＰＧＷ）を備え、前記ＰＧＷは、前記ＰＧＷの前記少なくとも１つのプロセッサによって実行されると、前記決定された絶対タイムアウト期間値および前記決定されたアイドルタイムアウト期間値を含む前記生成された応答メッセージを前記ＰＣＲＦから受信し、前記絶対タイムアウト期間値および前記アイドルタイムアウト期間値を、前記ユーザ機器デバイスによって要求される前記セッションに適用するように構成される、システム。
【請求項９】
前記ＰＧＷは、少なくとも前記絶対タイムアウト期間値および前記アイドルタイムアウト期間値を含む作成セッション応答メッセージを生成するようにさらに構成される、請求項８に記載のシステム。
【請求項１０】
前記ＰＧＷは、前記絶対タイムアウト期間値および前記アイドルタイムアウト期間値を含む前記作成セッション応答メッセージを前記ユーザ機器デバイスに送信するようにさらに構成される、請求項９に記載のシステム。
【請求項１１】
前記ユーザ機器デバイスは、前記絶対タイムアウト期間値および前記アイドルタイムアウト期間値を利用して、前記セッションについてアップリンクデータを送信するためのデータレートを確立する、請求項１０に記載のシステム。
【請求項１２】
前記セッション情報パラメータは、輻輳表示パラメータ、ユーザ位置情報パラメータ、時刻パラメータまたはアクセスポイントネーム（ＡＰＮ）パラメータのうちの少なくとも１つを含む、請求項８〜１１のいずれか１項に記載のシステム。
【請求項１３】
前記ＰＣＲＦは、前記セッション情報パラメータのうちの１つ以上を、データベーステーブルに格納された絶対タイムアウト期間値およびアイドルタイムアウト期間値にマッピングされる１つ以上の閾値に一致させることによって、前記絶対タイムアウト期間値および前記アイドルタイムアウト期間値を決定するようにさらに構成される、請求項８〜１２のいずれか１項に記載のシステム。
【請求項１４】
前記ユーザ機器デバイスは、無線モバイルデバイス、モノのインターネット（ＩｏＴ）デバイスまたはマシンツーマシン（Ｍ２Ｍ）デバイスを含む、請求項８〜１３のいずれか１項に記載のシステム。
【請求項１５】
請求項１〜７のいずれか１項に記載の方法をコンピュータに実行させる命令を有するプログラム。
【誤訳訂正書】
【提出日】令和3年7月9日(2021.7.9)
【誤訳訂正１】
【訂正対象書類名】図面
【訂正対象項目名】図１
【訂正方法】変更
【訂正の内容】
【図１】
2020527940.tif 000001
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
Ｘ線撮像装置を用いて物体を撮像することによって取得される暗視野画像データを受信するための入力インターフェースと、
コンプトン散乱補正済み画像データを取得するために、前記暗視野画像データをコンプトン散乱に関して補正する補正動作を実行する補正器モジュールであって、前記補正器モジュールは、
前記物体に関連する透過画像データに基づいて、コンプトン散乱推定データを推定することと、
前記暗視野画像データに、又は基本的な投影データに、前記コンプトン散乱推定データを適用することとによって、前記コンプトン散乱補正済み画像データを取得する、補正器モジュールであって、前記暗視野画像データ及び／又は透過データは前記投影データから再構成される、補正器モジュールと、
前記コンプトン散乱補正済み画像データを出力するための出力インターフェースとを備える、画像処理システム。
【請求項２】
前記補正器モジュールによる前記補正動作は、
前記補正済み投影データからコンプトン散乱補正済み画像データを再構成することを含む、請求項１に記載の画像処理システム。
【請求項３】
前記補正器モジュールによるコンプトン散乱の前記推定を、前記物体の材料又は組織タイプに基づいて適応させる、請求項１又は２に記載の画像処理システム。
【請求項４】
前記撮像を実行するための撮像装置は、ｉ）全視野Ｘ線撮像装置、又はｉｉ）スロットスキャニングＸ線撮像装置を含む、請求項１から３のいずれか一項に記載の画像処理システム。
【請求項５】
請求項１から４のいずれか一項に記載の画像処理システムと、前記Ｘ線撮像装置とを備える、撮像機器。
【請求項６】
コンピュータ実施される画像処理の方法であって、前記方法は、
Ｘ線撮像装置を用いて物体を撮像することから取得される暗視野画像データを受信するステップと、
コンプトン散乱補正済み画像データを取得するために、前記暗視野画像データをコンプトン散乱に関して補正する補正動作を実行するステップであって、前記実行するステップは、
前記物体に関連する透過画像データに基づいて、コンプトン散乱推定データを推定するステップと、
前記暗視野画像データに、又は基本的な投影データに前記コンプトン散乱推定データを適用するステップであって、前記暗視野画像データ及び／又は透過データが前記投影データから再構成される、ステップとを含む、実行するステップと、
前記コンプトン散乱補正済み画像データを出力するステップとを有する、画像処理の方法。
【請求項７】
コンプトン散乱の前記推定するステップを前記物体の材料又は組織タイプに基づいて適応させる、請求項６に記載の方法。
【請求項８】
少なくとも１つの処理ユニットによって実行されるときに、前記処理ユニットに請求項６又は７に記載の方法を実行させる、コンピュータプログラム。
【請求項９】
請求項８に記載のコンピュータプログラムを記憶している、コンピュータ可読媒体。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
ディスプレイと、
電子プロセッサ及び非一時的記憶媒体を含む処理ハードウェアと、
を含み、
前記非一時的記憶媒体は、患者モニタリング方法を行うように前記電子プロセッサによって読取り可能及び実行可能な命令と視覚化テンプレートデータベースとを格納し、
前記患者モニタリング方法は、
リスク予測関数の１つ以上の既知の変数について患者値を取得するステップと、
患者値が分からない前記リスク予測関数の１つ以上の未知の変数を決定し、前記１つ以上の未知の変数がとることのできる値として少なくとも１つの超平面を定義するステップと、
前記１つ以上の既知の変数について取得された前記患者値を使用して、前記少なくとも１つの超平面にわたって前記リスク予測関数の値を計算するステップと、
前記リスク予測関数及び前記１つ以上の未知の変数を含むテンプレート選択インデックスを使用して、前記視覚化テンプレートデータベースから視覚化テンプレートを選択するステップと、
前記視覚化テンプレートを使用して、前記少なくとも１つの超平面にわたって計算された前記リスク予測関数の前記値の視覚化を前記ディスプレイに表示するステップと、
を含む、患者モニタリングデバイス。
【請求項２】
前記患者モニタリング方法は更に、１つ以上のバイタルサインセンサからバイタルサインデータを受信するステップを含み、前記取得するステップは、少なくとも１つの患者値を、前記１つ以上のバイタルサインセンサから前記電子プロセッサによって受信されるバイタルサインデータとして取得するステップを含む、請求項１に記載の患者モニタリングデバイス。
【請求項３】
前記患者モニタリング方法は更に、前記リスク予測関数の計算された前記値の表示とは別に、受信した前記バイタルサインデータを前記ディスプレイに表示するステップを含む、請求項２に記載の患者モニタリングデバイス。
【請求項４】
前記患者モニタリング方法は更に、
前記１つ以上の既知の変数について取得された前記患者値及び前記１つ以上の未知の変数のデフォルト値を使用して、前記リスク予測関数のデフォルト値を計算するステップと、
前記視覚化上に、前記リスク予測関数の前記デフォルト値を示すマーカを表示するステップと、
を含む、請求項１から３のいずれか一項に記載の患者モニタリングデバイス。
【請求項５】
放射線撮像コンポーネントを含む画像誘導治療（ｉＧＴ）デバイスを更に含み、
前記リスク予測関数は、急性腎障害（ＡＫＩ）リスク予測関数を含み、前記ＡＫＩリスク予測関数の変数は、前記ｉＧＴデバイスによって取得される患者の少なくとも一部の画像の画像コントラストを高めるために前記患者に投与される造影剤の用量を表す造影剤用量変数を含む、請求項１から４のいずれか一項に記載の患者モニタリングデバイス。
【請求項６】
前記リスク予測関数は、急性腎障害（ＡＫＩ）リスク予測関数を含み、前記ＡＫＩリスク予測関数の変数は、前記患者モニタリング方法が行われている間に患者に行われる外科手術中に大動脈内バルーンポンプ（ｉＡＢＰ）が使用されるかどうかを示すｉＡＢＰ変数を含む、請求項１から５のいずれか一項に記載の患者モニタリングデバイス。
【請求項７】
ベッドサイド患者モニタ又は手術用患者モニタにおいて、リスク予測関数の１つ以上の既知の変数について患者値を取得するステップと、
電子プロセッサを含む処理ハードウェアを使用して、患者値が分かっていない前記リスク予測関数の１つ以上の未知の変数を決定し、前記１つ以上の未知の変数がとることのできる値として少なくとも１つの超平面を定義するステップと、
前記処理ハードウェアを使用して、前記１つ以上の既知の変数について取得した前記患者値を使用して、前記少なくとも１つの超平面にわたって前記リスク予測関数の値を計算するステップと、
前記ベッドサイド患者モニタ又は前記手術用患者モニタのディスプレイに、前記少なくとも１つの超平面にわたって計算された前記リスク予測関数の値の視覚化を表示するステップと、
を含む、患者モニタリング方法。
【請求項８】
前記少なくとも１つの超平面にわたって計算された前記リスク予測関数の前記値を視覚化テンプレートに入力することによって前記視覚化を生成するステップを更に含む、請求項７に記載の患者モニタリング方法。
【請求項９】
前記リスク予測関数及び前記１つ以上の未知の変数を含むテンプレート選択指標を使用して、視覚化テンプレートデータベースから前記視覚化テンプレートを選択するステップを更に含む、請求項８に記載の患者モニタリング方法。
【請求項１０】
前記決定するステップは、
離散的な未知の変数及び少なくとも１つの連続的な未知の変数を決定するステップと、
前記少なくとも１つの超平面を、前記離散的な未知の変数がとることのできる各離散値の超平面として定義するステップと、
を含み、
各超平面は更に、前記少なくとも１つの連続的な未知の変数がとることのできる値によって定義される、請求項７から９のいずれか一項に記載の患者モニタリング方法。
【請求項１１】
前記ベッドサイド患者モニタ又は前記手術用患者モニタにおいて、１つ以上のバイタルサインセンサからバイタルサインデータを受信するステップを更に含み、
前記取得するステップは、少なくとも１つの患者値を、前記ベッドサイド患者モニタ又は前記手術用患者モニタにおいて、前記１つ以上のバイタルサインセンサから受信したバイタルサインデータとして取得するステップを含む、請求項７から１０のいずれか一項に記載の患者モニタリング方法。
【請求項１２】
前記少なくとも１つの超平面にわたって計算された前記リスク予測関数の前記値の前記視覚化とは別に、受信した前記バイタルサインデータを、前記ベッドサイド患者モニタ又は前記手術患者モニタの前記ディスプレイに表示するステップを更に含む、請求項１１に記載の患者モニタリング方法。
【請求項１３】
前記取得するステップは、電子健康データリポジトリから少なくとも１つの患者値を取得するステップを含む、請求項７から１２のいずれか一項に記載の患者モニタリング方法。
【請求項１４】
画像誘導治療（ｉＧＴ）デバイスを使用して患者を撮像するステップを更に含み、
前記１つ以上の未知の変数は、前記ｉＧＴデバイスを使用して行われる撮像の画像コントラストを高めるために前記患者に投与される造影剤の用量を表す造影剤用量変数を含む、請求項７から１３のいずれか一項に記載の患者モニタリング方法。
【請求項１５】
前記リスク予測関数は、前記造影剤用量変数によって表される造影剤の用量の増加と共に値が増加する急性腎障害（ＡＫＩ）リスク予測関数を含む、請求項１４に記載の患者モニタリング方法。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
細胞培養タンパク質に結合するための材料であって、エラストマーバルクに共有結合した複数の脂肪酸部分を有するバルク修飾エラストマーを含み、前記部分のカルボン酸基が前記結合を提供するために前記材料の外表面上で利用可能である、材料。
【請求項２】
前記脂肪酸部分のそれぞれが、前記エラストマーのビニルまたはヒドリド官能基と不飽和脂肪酸の不飽和炭素-炭素結合との間の架橋反応によって前記エラストマーバルクに共有結合している、請求項1に記載の材料。
【請求項３】
前記不飽和脂肪酸が、ミリストレイン酸、パルミトレイン酸、サピエン酸、オレイン酸、エライジン酸、バクセン酸、リノール酸、リノエラジン酸、α-リノレン酸、アラキドン酸、エイコスパエンテン酸、エルカ酸、ドコサヘキサエン酸から選択される、請求項2に記載の材料。
【請求項４】
前記エラストマーが、ポリブタジエン骨格またはシリコーン骨格を含む、請求項１から３のいずれか一項に記載の材料。
【請求項５】
シリコーン骨格内のカルボン酸基の少なくとも一部が鹸化されている、請求項４に記載の材料。
【請求項６】
請求項１から５のいずれか一項に記載の材料と、前記カルボン酸基の少なくともいくつかに結合した細胞培養タンパク質とを含む細胞培養足場。
【請求項７】
前記タンパク質がフィブロネクチン、コラーゲンおよびエラスチンから選択される、請求項6に記載の細胞培養足場。
【請求項８】
請求項１から４のいずれか一項に記載の材料を含む膜上に延在するフローチャネルを含む流体装置モジュール。
【請求項９】
第1の流路を画定する第1の凹構造を含む第1の主表面と、
前記第１の主表面に対向し、第２の流路を画定する第２の凹構造を含む第２の主表面と、を有し、
前記膜が前記第１の流路を前記第２の流路から分離する、
請求項８に記載の流体装置モジュール。
【請求項１０】
前記流体装置がモノリシック流体装置である、請求項８または９に記載の流体装置モジュール。
【請求項１１】
請求項８から１０のいずれか一項の流体装置モジュールと、前記流体装置モジュールを流体密封するための一対のカバープレートとを有する流体装置。
【請求項１２】
前記カバープレートの一方が前記第１の主表面を覆い、それにより前記第１の流体チャネルを密封し、前記カバープレートの他方が前記第２の主表面を覆い、それにより前記第２の流体チャネルを密封するように、前記カバープレートが配置される、請求項１１に記載の流体装置。
【請求項１３】
細胞培養タンパク質に結合するための材料を製造する方法であって、
極性の内面を有する型内にビニル官能化またはヒドリド官能化エラストマーまたはその少なくとも1つの前駆体、不飽和脂肪酸、および架橋触媒を含む組成物を形成し、
エラストマーのビニル基またはヒドリド基と不飽和脂肪酸の不飽和炭素-炭素結合との架橋反応により前記型のエラストマーバルクに前記脂肪酸を共有結合させることによって、前記ビニル官能化またはヒドリド官能化エラストマーをバルク修飾して前記材料を得る、方法。
【請求項１４】
前記ビニル官能化またはヒドリド官能化エラストマーがシリコーン骨格を含み、前記不飽和脂肪酸が鹸化され、得られた前記材料をプロトン酸で処理して前記鹸化を元に戻すことをさらに含む、請求項１３に記載の方法。
【請求項１５】
ビニル官能化またはヒドリド官能化エラストマーまたはその少なくとも１つの前駆体、不飽和脂肪酸および架橋触媒を含む組成物を形成することは、前記組成物を前記型に注入することを含む、請求項１３または１４に記載の方法。
【請求項１６】
前記型は、請求項８から１０のいずれか一項に記載の流体装置モジュールを提供するように成形される、請求項１５に記載の方法。
【請求項１７】
前記流体装置モジュールの膜にレーザで溝または穴を形成することをさらに含む、請求項１６に記載の方法。
【請求項１８】
前記極性の内面は金属酸化物内面である、請求項１５から１７のいずれか一項に記載の方法。
【請求項１９】
薬物試験方法であって、
請求項９または１０に記載の流体装置モジュールを提供し、
前記流体装置モジュールの膜を細胞培養タンパク質に結合させて、細胞培養足場を得て、
採取された細胞培養物を前記細胞培養足場に適用して、準備された流体装置モジュールを取得し、
前記準備された流体装置モジュールで流体装置を形成し、
前記流体装置の一対のフローチャネルの一方を通して細胞培養物を供給し、
前記流体装置の一対のフローチャネルの他方を通して前記細胞培養物を試験される薬物に曝露し、
試験される前記薬物に対する前記細胞培養物の反応を監視する、薬物試験方法。
【請求項２０】
試験される薬物に対する細胞培養物の反応の監視は、
流体装置内に前記細胞培養物を固定し、前記流体装置モジュールをスライスして、固定された前記細胞培養物の少なくとも一部を含む顕微鏡評価のためのスライスを取得すること、
または
共焦点顕微鏡を使用して、流体装置内で前記細胞培養物を監視すること、
を含む、請求項１９に記載の薬物試験方法。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
ある体積の液体を収容するように構成された内部を画定するベッセルであって、前記ベッセルが上部空間出口を含む、ベッセルと、
前記ベッセルと流体接続しているエアロゾル発生要素であって、
電気発熱体と、
前記発熱体によって加熱されるシーシャエアロゾル発生基体を受容するための容器と、
前記容器と連通する吸込み口と、
前記容器と連通する出口と、を備える、エアロゾル発生要素と、
前記ベッセルと前記エアロゾル発生要素との間にあり、かつ前記ベッセルおよび前記エアロゾル発生要素と流体接続しているチャンバーであって、前記エアロゾル発生要素からチャンバー吸込み口を通して流れるエアロゾルを含有する空気を加速するように構成された前記チャンバー吸込み口を備えるチャンバーと、を備え、
前記エアロゾル発生基体を燃焼することなくエアロゾルを発生するために十分な程度に前記容器内に受容される前記エアロゾル発生基体を加熱するように構成される、シーシャ装置であって、
前記チャンバーが、前記チャンバー吸込み口と流体連通する主チャンバーであって、前記主チャンバーが、前記エアロゾルを含有する前記空気が前記チャンバー吸込み口を出て前記主チャンバーに入る時に、前記主チャンバー内の前記エアロゾルを含有する前記空気の減速を可能にするようにサイズ設定され、かつ形作られ、
前記チャンバー吸込み口が、前記エアロゾル発生要素に近接する第一の開口部と、前記主チャンバー内の第二の開口部とを有し、前記エアロゾル発生要素からのエアロゾルが、第一の開口部を通して前記チャンバー吸込み口の中へと流れ、かつ前記第二の開口部を通って前記第二の開口部の外へと流れ、前記主チャンバーの中へと流れ、
前記第二の開口部が約０．５ｍｍ〜約４ｍｍの範囲の直径を有する、シーシャ装置。
【請求項２】
前記チャンバーが、前記チャンバーを含まない装置に比べて前記シーシャ装置の使用中に前記上部空間出口を出る総エアロゾル質量の増加をもたらす、請求項１に記載のシーシャ装置。
【請求項３】
総エアロゾル質量の前記増加が１．５倍以上である、請求項２に記載のシーシャ装置。
【請求項４】
前記第一の開口部が前記第二の開口部よりも大きい直径を有する、請求項１〜３のいずれか一項に記載のシーシャ装置。
【請求項５】
前記第一の開口部が約１ｍｍ〜約１０ｍｍの範囲の直径を有する、請求項１〜４のいずれか一項に記載のシーシャ装置。
【請求項６】
前記チャンバー吸込み口が、前記第一の開口部から前記第二の開口部までの長さとして約１ｍｍ〜約２０ｍｍを有する、請求項１〜５のいずれか一項に記載のシーシャ装置。
【請求項７】
前記チャンバー吸込み口が前記主チャンバーの中へと突出する、請求項１〜６のいずれか一項に記載のシーシャ装置。
【請求項８】
前記チャンバー吸込み口が円錐台形を有する、請求項１〜７のいずれか一項に記載のシーシャ装置。
【請求項９】
前記主チャンバーが少なくとも約１０ｍｍの直径を有する、請求項１〜８のいずれか一項に記載のシーシャ装置。
【請求項１０】
前記主チャンバーが少なくとも約１０ｍｍの長さを有する、請求項１〜９のいずれか一項に記載のシーシャ装置。